(57)【要約】【課題】グリル枠および吸込グリルの取り付け作業を容易とする。【解決手段】天井内に埋設される本体１の下端に、吹出口と吸込口とを有するグリル枠４が設けられ、このグリル枠４の吸込口６には、吊りひも１２，１３，１４により昇降可能に支持された吸込グリル１０が設けられる天井埋込型空気調和装置において、グリル枠４には、このグリル枠４を本体１の下端にねじ止め固定するためのねじ孔３０が、収納された当該吸込グリル１０によって覆われる箇所に設けられ、グリル枠４および吸込グリル１０は、グリル枠を４本体１の下端に固定する際に、吸込グリル１０がグリル枠４から離間した状態で支持されるように吊りひも１２，１３，１４が予め繰り出された状態で、かつ、吸込グリル１０がグリル枠４に仮止め固定された状態で梱包される。【選択図】      図５
2004218962.tif 000002
【特許請求の範囲】
【請求項１】
天井内に埋設される本体の下端に、吹出口と吸込口とを有するグリル枠が設けられ、このグリル枠の吸込口には、吊りひもにより昇降可能に支持された吸込グリルが設けられる天井埋込型空気調和装置において、
前記グリル枠および前記吸込グリルは、
前記グリル枠を前記本体下端に固定する際に、前記吸込グリルが前記グリル枠から離間した状態で支持されるように前記吊りひもが予め繰り出された状態で、かつ、前記吸込グリルが前記グリル枠に仮止め固定された状態で梱包される
ことを特徴とする天井埋込型空気調和装置。
【請求項２】
前記グリル枠には、当該グリル枠を前記本体下端にねじ止め固定するためのねじ孔が、前記吸込グリルの収納時に当該吸込グリルによって覆われる箇所に設けられている
ことを特徴とする請求項１に記載の天井埋込型空気調和装置。
【請求項３】
前記吊りひもは、前記グリル枠と前記吸込グリルとの間にねじ止め固定用の工具を挿入できる程度の間隔を形成する量だけ繰り出されていることを特徴とする請求項２に記載の天井埋込型空気調和装置。
【請求項４】
天井埋込型空気調和装置が備えるグリル枠および吸込グリルを梱包する梱包装置において、
前記グリル枠および前記吸込グリルを、
前記グリル枠を前記本体下端に固定する際に、前記吸込グリルが前記グリル枠から離間した状態で支持されるように、前記吸込グリルを前記グリル枠に昇降可能に支持する吊りひもが予め繰り出された状態で、かつ、前記吸込グリルが前記グリル枠に仮止め固定された状態で梱包する
ことを特徴とする梱包装置。
【発明の詳細な説明】
【０００１】
【発明の属する技術分野】
本発明は、天井埋込型空気調和装置および梱包装置に関する。
【０００２】
【従来の技術】
一般に、天井内に埋設される本体の下端に、吹出口と吸込口とを有するグリル枠を設け、このグリル枠の吸込口開口部にロング・ライフ・フィルタを支持する吸込グリルを設け、この吸込グリルをロング・ライフ・フィルタごと昇降自在に形成し、ロング・ライフ・フィルタを交換するときには吸込グリルをフィルタごと降下させて、このフィルタを低所で交換できるようにした構成の空気調和装置が知られている（例えば、特許文献１参照）。この従来の構成では、吸込グリルの四隅をそれぞれ吊りひもで支持し、この吊りひもを繰り出し、或いは巻き取りすることにより、当該吸込グリルを昇降させるのが一般的である。
【０００３】
また、従来の空気調和装置は、本体、グリル枠および吸込グリルの各々が別々に梱包されて、工場から出荷、運搬されており、空気調和装置の取り付け時に、作業者が、これらの各部を組み上げるのが一般的である。
【０００４】
【特許文献１】
特開２００２−３４９８９３号公報
【０００５】
【発明が解決しようとする課題】
しかしながら、作業者が吸込グリルをグリル枠から吊り下げるためには、吊りひもをグリル枠内に設けられた昇降機構に巻き回す必要があるなど作業者にとって煩雑であり、さらに、吊下げ加工作業中に昇降機構に過度な負荷を与え、昇降機構が壊れてしまうといった危険性もある。
【０００６】
本発明は、上述した事情に鑑みてなされたものであり、グリル枠および吸込グリルの取り付け作業を容易とすることが可能な天井埋込型空気調和装置および吸込グリルとグリル枠とを梱包する梱包装置を提供することを目的とする。
【０００７】
【課題を解決するための手段】
上記目的を達成するために、請求項１に記載の発明は、天井内に埋設される本体の下端に、吹出口と吸込口とを有するグリル枠が設けられ、このグリル枠の吸込口には、吊りひもにより昇降可能に支持された吸込グリルが設けられる天井埋込型空気調和装置において、前記グリル枠および前記吸込グリルは、前記グリル枠を前記本体下端に固定する際に、前記吸込グリルが前記グリル枠から離間した状態で支持されるように前記吊りひもが予め繰り出された状態で、かつ、前記吸込グリルが前記グリル枠に仮止め固定された状態で梱包されることを特徴とする。
【０００８】
請求項２に記載の発明は、請求項１に記載の天井埋込型空気調和装置において、前記グリル枠には、当該グリル枠を前記本体下端にねじ止め固定するためのねじ孔が、前記吸込グリルの収納時に当該吸込グリルによって覆われる箇所に設けられていることを特徴とする。
【０００９】
請求項３に記載の発明は、請求項２に記載の天井埋込型空気調和装置において、前記吊りひもは、前記グリル枠と前記吸込グリルとの間にねじ止め固定用の工具を挿入できる程度の間隔を形成する量だけ繰り出されていることを特徴とする。
【００１０】
請求項４に記載の発明は、天井埋込型空気調和装置が備えるグリル枠および吸込グリルを梱包する梱包装置において、前記グリル枠および前記吸込グリルを、前記グリル枠を前記本体下端に固定する際に、前記吸込グリルが前記グリル枠から離間した状態で支持されるように、前記吸込グリルを前記グリル枠に昇降可能に支持する吊りひもが予め繰り出された状態で、かつ、前記吸込グリルが前記グリル枠に仮止め固定された状態で梱包することを特徴とする。
【００１１】
【発明の実施の形態】
以下、本発明の実施の形態を、図面に基づき説明する。
【００１２】
図１は本発明に係る天井埋込型空気調和装置１００を示す図である。図１に示すように、天井埋込型空気調和装置１００は、居住空間において天井に設置され、特に壁寄りの位置に設けられる。本体１は天井内部に埋設されている。
【００１３】
この本体１の内部には、図２に示すように、熱交換器２、送風機３等が収納されている。本体１の下端にはグリル枠４が固定され、このグリル枠４の一端側には、居住空間の広域側寄りに吹出口５が設けられている。この吹出口５から居住空間の広域側（被調和室の中央部側）に空気が吐出される。また、上記グリル枠４の他端側には、壁寄りの位置に吸込口６が設けられており、この吸込口６から空気が吸い込まれる。この吸込口６には昇降グリル２００が配設されている。
【００１４】
昇降グリル２００は、吸込グリル１０と、この吸込グリル１０を昇降させる昇降機構（図示せず）とを有し構成されている。上記吸込グリル１０の開口部には、吸込空気を清浄化するためのロング・ライフ・フィルタ１１が着脱可能に設置されている。これら吸込グリル１０とフィルタ１１とは、図１に示すように、三本の吊りひも１２，１３，１４を介して、グリル枠４に昇降自在に吊持されている。
【００１５】
上記吸込グリル１０の三ヶ所には、三本の吊りひも１２，１３，１４の一端１２ａ，１３ａ，１４ａがそれぞれ止着され、各吊りひも１２，１３，１４の他端１２ｂ，１３ｂ，１４ｂは、昇降機構につながれている。この昇降機構は、図示を省略したステッピングモータと、このステッピングモータで回転駆動される三個のボビンと、ステッピングモータを駆動制御する制御装置とを含んで構成され、図３に示すように、グリル枠４における吸込口６の近くに配置された一つのユニット２１内に収納されている。
【００１６】
このユニット２１内の三個のボビン（図示せず）には、上記三本の吊りひも１２，１３，１４の他端１２ｂ，１３ｂ，１４ｂがそれぞれ巻き取られる。これら吊りひも１２，１３，１４の一端１２ａ，１３ａ，１４ａは、それぞれユニット２１外に導出されて、グリル枠４に形成された各ガイド１６で案内された後、グリル枠４に形成された各通し孔１７を経て、図１に示すように、室内側に延出し、上記吸込グリル１０の三ヶ所に固定される。この昇降グリル２００では、吸込グリル１０の長辺側の一側縁１０Ａが、二本の吊りひも１２，１３で支持されると共に、長辺側の他側縁１０Ｂの略中央部が一本の吊りひも１４で支持され、この一本の吊りひも１４で支持した部分の近傍には、昇降グリル２００をグリル枠４の収納部の適正位置に収納したとき、グリル枠４の収納部の下面に当接する当接体２３を備えて構成される。また、空清フィルタ２５の固定金具２７には、当接体２３が一体的に形成されている。すなわち、この空気調和機では、ロング・ライフ・フィルタ１１の上に重ねて空清フィルタ２５が設置され、この空清フィルタ２５の固定金具２７に上記当接体２３が形成される。
【００１７】
また、図３に示すように、グリル枠４には、当該グリル枠４を天井内部に埋設された本体１の下端にねじ止め固定するためのねじ孔３０が、グリル枠４の縁に沿って適宜数穿たれている。これらねじ孔３０のうちの幾つかは、昇降グリル２００（吸込グリル１０）がグリル枠４に収納されたときに、当該昇降グリル２００によって覆われる箇所に設けられている。従って、グリル枠４を本体１の下端に取り付ける取付作業にあっては、ドライバーなどの工具５９（図６参照）を用いてグリル枠４を本体１にねじ止固定するための作業領域を確保すべく、昇降グリル２００がグリル枠４から所定距離（例えば、４５ｃｍ程度）だけ離間している必要がある。そこで、本実施形態では、グリル枠４と昇降グリル２００（吸込グリル１０）とが、グリル枠４を本体１の下端に固定する際に、昇降グリル２００（吸込グリル１０）がグリル枠４から所定距離だけ離間した状態で支持されるように吊りひも１２，１３，１４が予め繰り出された状態で梱包された構成としている。この構成により、作業者は、梱包をとき、グリル枠４を本体１の下端に宛がった際に、昇降グリル２００（吸込グリル１０）がグリル枠４から所定距離だけ降下した状態で支持されるため、ドライバーなどの工具５９を用いてリル枠４をねじ止め固定するための作業領域が確保されることとなる。
【００１８】
次いで、グリル枠４と昇降グリル２００（吸込グリル１０）との梱包について、図４および図５を参照して詳述する。図４および図５は、グリル枠１０と昇降グリル２００（吸込グリル１０）の梱包状態を示す図であり、図４は、グリル枠４を本体１に取り付けた際に天井面に現れる面（以下、「表面」と言う）を示す図であり、図５は、グリル枠４を本体１に取り付けた際に本体１側に隠れる面（以下、「裏面」と言う）を、グリル枠１０および昇降グリル２００の梱包材と共に示す図である。
【００１９】
図４に示すように、グリル枠４と昇降グリル２００（吸込グリル１０）との梱包時には、昇降グリル２００がグリル枠１０に収納された状態で梱包される。具体的には、吸込グリル１０およびロング・ライフ・フィルタ１１の各々がバラバラにならないように、これらをダンボール４０および粘着テープ５０によって束ねる。そして、束ねられた吸込グリル１０およびロング・ライフ・フィルタ１１をグリル枠４に収納した後に、これらがグリル枠４から離脱するのを防ぐべく、粘着テープ４１により、これらをグリル枠４に仮止め固定する。
【００２０】
一方、図５に示すように、グリル枠４の裏面には、上述のユニット２１が梱包時に予め取り付け固定されており、また、吊りひも１２，１３，１４の各々は、ユニット２１内のボビン（図示せず）に予め巻き回されると共に、各々一端が吸込グリル１０に予め固定されている。さらに、吊りひも１２，１３，１４の各々は、上述のように予め繰り出されており、繰り出されることによって生じるたるみの部分が粘着テープ５２により、吸込グリル１０に仮止めされている。
【００２１】
また、グリル枠４の４隅の角部には、搬送時などに梱包されたグリル枠４を落下してしまった場合にそなえ、当該落下時の衝撃を吸収するための緩衝材４２が取り付けられている。そして、これらグリル枠４と昇降グリル２００（吸込グリル１０）とが１つの梱包箱４３に梱包装置により梱包される。このように、グリル枠４と昇降グリル２００とを組み上げた状態で梱包するため、昇降グリル２００の昇降動作検査を工場出荷時に行うことができる。
【００２２】
さて、グリル枠４と昇降グリル２００とを本体１に取り付ける際には、作業者は、グリル枠４および昇降グリル２００を梱包箱４３から取り出し、グリル枠４の４隅に取り付けられた緩衝材４２を取り外すと共に、吊りひも１２，１３，１４を吸込グリル１０に仮止めしている粘着テープ５２を剥がす。次いで、作業者は、グリル枠４の表側が下となるように、当該グリル枠４を本体１に宛がう。そして、作業者は、上述したねじ孔３０（図３参照）のうち、吸込グリル１０によって覆われていない箇所に設けられているねじ孔３０を用いて当該グリル枠４を本体１に仮止め固定した後、吸込グリル１０をグリル枠４に仮止めしている粘着テープ５１を剥がし、仮止めしたグリル枠４が落下しないように吸込グリル１０を注意深く降下させる。これにより、吸込グリル１０に覆い隠されていたねじ孔３０が現れる。また、予め吊りひも１２，１３，１４が繰り出されているため、作業者がドライバーなどの工具をグリル枠４の下面に挿入できる程度の作業領域を形成すべく、図６に示すように、吸込グリル１０がグリル枠４から降下した状態で支持されることとなる。
【００２３】
次いで、作業者は、吸込グリル１０に覆い隠されていたねじ孔３０を含め、各ねじ孔３０を用いてグリル枠４を本体１にねじ止め固定すると共に、吸込グリル１０およびロング・ライフ・フィルタ１１を束ねていたダンボール４０を取り外し、グリル枠４と昇降グリル２００（吸込グリル１０）との全ての梱包をとく。そして、グリル枠４のユニット２１に通電し、ボビンに吊りひも１２，１３，１４を巻き取らせることにより、降下状態で支持されていた昇降グリル２００（吸込グリル１０）を上昇させ、グリル枠４に収納した状態で保持させる。次に、作業者は、天井埋込型空気調和装置１００の運転動作を確認すべく、空調運転（例えば冷房運転）を行う。
【００２４】
また、ロング・ライフ・フィルタ１１の清掃時には、作業者は、ユニット２１内の制御装置と無線状態で通信されるリモートコントローラ（図示せず）を操作するなどして制御装置に吸込グリル１０の降下を指示する。制御装置は、かかる指示を受け取ると、上記ステッピングモータを駆動制御して、ボビンを回転させて吊りひも１２，１３，１４を繰り出させ、吸込グリル１０を降下させる。この時、ユニット２１から繰り出される吊りひも１２，１３，１４の繰り出し量は、制御装置により各々同量を保たれ、上記吸込グリル１０は、ほぼ水平状態を維持されながら降下される。吸込グリル１０が、図１に示すフィルタ交換位置Ｘよりも若干上位の位置Ｙまで降下されると、図示しない制御装置により、第一の時間がカウントされ始める。第一の時間は上記吸込グリル１０が位置Ｙからフィルタ交換位置Ｘに降下されるまでの時間である。第一の時間がカウントされる間、上記吸込グリル１０は水平状態でフィルタ交換位置Ｘまで降下される。このフィルタ交換位置Ｘまで上記吸込グリル１０が降下されると、一本の吊りひも１４の巻かれたボビンが、例えばクラッチ等を介して、ステッピングモータの駆動系から離脱し、当該一本の吊りひも１４の繰り出しが停止される。
【００２５】
そして、図示しない制御装置により、第二の時間がカウントされ始める。第二の時間は、上記吸込グリル１０が水平状態から傾き角ａまで傾けられる時間である。この第二の時間の間、ユニット２１からは二本の吊りひも１２，１３だけが繰り出され、上記吸込グリル１０は水平状態から被調和室の中央部側（空気の吐出側）に傾けられる。吸込グリル１０が傾き角ａに傾けられると、図示しない制御装置により、ステッピングモータの駆動が停止され、二本の吊りひも１２，１３の繰り出しが停止され、降下運転を停止する。
【００２６】
ここで、上記フィルタ交換位置Ｘは、作業者がメンテナンス作業可能な低所位置である。このフィルタ交換位置Ｘは、例えば、天井高さ約２．５ｍの居住空間において、天井から吊りひも１２，１３，１４を約１ｍ繰り出して、上記吸込グリル１０が約１ｍ降下した位置であり、上記吸込グリル１０が床から約１．５ｍの高さである。また、上記傾き角度ａは、上記フィルタ交換位置Ｘにおいて、居住空間の広域側（被調和室の中央部側）に位置する作業者の視野に、上記フィルタ１１の面が確認できる角度であるのが望ましい。例えば、被調和室の中央部側（空気吐出側）に水平位置から４５度傾けられる。上記フィルタ交換位置Ｘにおいて、作業者により上記フィルタ１１，２５は上記吸込グリル１０から取り外され、清掃、交換される。
【００２７】
また、清掃、交換終了後には、作業者は、上述のリモートコントローラを操作するなどして制御装置に昇降グリル２００の上昇を指示する。制御装置は、かかる指示を受け取ると、第三の時間をカウントし始める。この第三の時間は、傾き角ａに傾けられた上記吸込グリル１０が水平状態に戻るまでの時間である。この第三の時間がカウントされ始めると、ステッピングモータが駆動され、二本の吊りひも１２，１３の巻き取りが開始され、被調和室の中央部側（空気吐出側）に傾いた上記吸込グリル１０の一端側が水平状態に戻りながら上昇される。ここで、一本の吊りひも１４の巻かれたボビンは、例えばクラッチ等を介して、ステッピングモータの駆動系から離脱し、吊りひも１４の巻き取りは停止される。
【００２８】
つぎに、上記吸込グリル１０が水平状態に戻されると、さらに一本の吊りひも１４の巻かれたボビンがステッピングモータの駆動系に連結されて、上位吸込グリル１０は水平状態で上昇される。そして、吸込グリル１０は水平状態のままグリル枠４に着入される。グリル枠４に吸込グリル１０が着入されると、図示しない制御装置により上昇運転は停止される。
【００２９】
以上説明したように、本実施形態によれば、グリル枠４と昇降グリル２００（吸込グリル１０）とが組みあがった状態で梱包されているため、グリル枠４の取り付け作業時に、当該昇降グリル２００をグリル枠４に取り付ける作業が不要となり、グリル枠４および昇降グリル２００の本体１への取り付け作業が簡素化される。また、予め昇降グリル２００がグリル枠４に取り付けられているため、作業者が昇降グリル２００をグリル枠４に取り付ける際に、昇降グリル２００の昇降機構を誤って損傷するといったことが防止される。
【００３０】
さらに、梱包時には、吊りひも１２，１３，１４が予め繰り出されており、グリル枠４を本体１の下端に宛がった場合に、当該グリル枠４と吸込グリル１０との間に、ドライバーなどの工具を挿入できる程度に、吸込グリル１０が降下した状態で支持される。これにより、作業者は、収納時に吸込グリル１０によって覆い隠される箇所に形成されたねじ孔３０を用いてグリル枠４を本体１にねじ止め固定することが可能となる。
【００３１】
また、本実施形態によれば、吸込グリル１０における長辺側の他側縁１０Ｂの略中央部が、一本の吊りひも１４で支持されているため、少なくとも他側縁１０Ｂの略中央部は、吸込グリル１０の格納時に、この一本の吊りひも１４によって完全に吊り上げられる。また、それが完全に吊り上げられた場合、当接体２３がグリル枠４の収納部の下面に当接するため、他側縁１０Ｂの略中央部の位置が完全に位置決めされる。従って、吸込グリル１０の自重によって、その中央部が下に凸の状態に変形して格納される恐れが解消される。
【００３２】
さらにまた、本実施形態によれば、上記フィルタ１１の清掃、交換時には、上記吸込グリル１０は降下されて、被調和室の中央部側（空気の吐出側）に傾けられるため、作業者Ａに上記フィルタ１１の状態が確認でき、フィルタ１１の着脱作業が容易に行える。また、上記フィルタ１１の掃除、交換後、上記吸込グリル１０は、傾いた状態から水平状態に戻されて、水平状態で上昇させるから、上記吸込グリル１０をグリル枠４に無理なくスムーズに装着させることができる。さらに、上記吸込グリル１０は水平状態を保ち上昇されるから、吸込グリル１０の振動を抑えることができる。
【００３３】
以上、本発明を上記実施の形態に基づいて説明したが、本発明はこれに限定されるものではない。
【００３４】
例えば、グリル枠４に吸込グリル１０が収納された状態において、試運転あるいはフィルタの清掃、交換時に、上記ユニット２１が不通電状態となった場合には、吸込グリル１０を降下させることができない。そこで、図７に示すように、吸込グリル１０のリブに引っ掛かかる形状を有する引かけ金具６０を、グリル枠４および吸込グリル１０と一緒に梱包し、不通電状態時には、作業者は、当該引かけ金具６０を吸込グリル１０のリブに引っ掛けて、当該吸込グリル１０を引き下ろすようにする。
【００３５】
また例えば、上述の実施形態では、一方向カセット型の空気調和装置について説明したが、二方向カセット型のもの、四方向カセット型のものにも適用が可能である。この場合、吸込グリルを傾かせる向きは、空気の吐出側に限定されない。
【００３６】
【発明の効果】
本発明によれば、グリル枠および吸込グリルの取り付け作業を容易とすることが可能な天井埋込型空気調和装置および梱包装置が提供される。
【図面の簡単な説明】
【図１】本発明に係る天井埋込型空気調和装置の一実施の形態を示す図である。
【図２】図１に示す天井埋込型空気調和装置の短手方向の断面図である。
【図３】グリル枠と吸込グリルとを示す図である。
【図４】グリル枠と吸込グリルとの梱包を説明するための図である。
【図５】グリル枠と吸込グリルとの梱包を説明するための図である。
【図６】グリル枠と吸込グリルとの間に形成される作業領域を説明するための図である。
【図７】収納された吸込グリルを手動で引き出すための工具を示す図である。
【符号の説明】
１  本体
５  吹出口
４  グリル枠
６  吸込口
１０  吸込グリル
１１  ロング・ライフ・フィルタ
１２，１３，１４  吊りひも
２１  ユニット
２３  当接体
２５  空清フィルタ
２７  固定金具
３０  ねじ孔
４３  梱包箱
５０、５１、５２  粘着テープ
１００  天井埋込型空気調和装置
２００  昇降グリル
【図１】
2004218962.tif 000003
【図２】
2004218962.tif 000004
【図３】
2004218962.tif 000005
【図４】
2004218962.tif 000006
【図５】
2004218962.tif 000007
【図６】
2004218962.tif 000008
【図７】
2004218962.tif 000009